(57)【要約】      （修正有）【課題】カメラの水中操作方法に関するもので、より詳しくは、水中でタッチ圧力を利用してタッチ位置を検出することができるカメラの水中操作方法を提供する。【解決手段】タッチスクリーン１３０、プロセッサ１４０、メモリ１２０及び制御部１１０を含むタッチ入力装置１００に内蔵されたカメラの水中操作方法において、水中でタッチ圧力による静電容量変化量でタッチ位置を検出する第１駆動モードが動作される段階と、客体によるタッチスクリーンに対するタッチを通じてカメラの動作を水中で制御する段階と、を含む。【選択図】図１
2015185171.tif 000002
【特許請求の範囲】
【請求項１】
タッチスクリーン、プロセッサ、及び制御部を含むタッチ入力装置に内蔵されたカメラの水中操作方法において、
水中でタッチ圧力による静電容量の変化量でタッチ位置を検出する第１駆動モードが動作される段階と、
客体による前記タッチスクリーンに対するタッチを通じてカメラの動作を水中で制御する段階と、
を含む、カメラの水中操作方法。
【請求項２】
現在の位置が水中なのか水中ではないのかを判断する段階、をさらに含む、請求項１に記載のカメラの水中操作方法。
【請求項３】
第１駆動モードの実行の有無を選択する段階、をさらに含む、請求項１に記載のカメラの水中操作方法。
【請求項４】
前記第１駆動モードが動作される段階は、
タッチ入力の有無を判断する基準となる基準静電容量を変更させるリセットプロセスを実行する段階を含む、請求項１ないし３のいずれか１項に記載のカメラの水中操作方法。
【請求項５】
前記リセットプロセスは、
所定の周期を有し繰り返して実行される、請求項４に記載のカメラの水中操作方法。
【請求項６】
前記リセットプロセスは、
所定の周期を有し前記タッチスクリーンで静電容量パターンを検出し、前記静電容量パターンと以前に検出された静電容量パターンとの誤差が所定値以上である場合、実行される、請求項４に記載のカメラの水中操作方法。
【請求項７】
前記カメラの動作を水中で制御する段階は、
前記タッチスクリーン上に配置されたシャッターマークをタッチして撮影する段階を含む、請求項１に記載のカメラの水中操作方法。
【請求項８】
前記カメラの動作を水中で制御する段階は、
前記タッチスクリーン上に配置されたズームインマークをタッチしてズームインし、前記タッチスクリーン上に配置されたズームアウトマークをタッチしてズームアウトする段階を含む、請求項７に記載のカメラの水中操作方法。
【請求項９】
前記カメラの動作を水中で制御する段階は、
前記タッチスクリーン上に配置された切換マークをタッチして前方カメラモード又は後方カメラモードを選択する段階を含む、請求項７に記載のカメラの水中操作方法。
【請求項１０】
前記カメラの動作を水中で制御する段階は、
前記タッチスクリーン上に配置された表示マークをタッチして撮影された映像をディスプレイする表示モードを実行する段階を含む、請求項７に記載のカメラの水中操作方法。
【請求項１１】
前記カメラの動作を水中で制御する段階は、
前記タッチスクリーン上に配置されたカメラモードマークをタッチして写真モード又は動画モードを選択する段階を含む、請求項７に記載のカメラの水中操作方法。
【請求項１２】
カメラの終了条件を満たすのかを判断する段階と、
カメラを終了する段階と、
をさらに含む、請求項１に記載のカメラの水中操作方法。
【請求項１３】
カメラの終了条件を満たすのかを判断する段階は、
前記タッチスクリーン上に配置された終了マークのタッチの有無を判断する段階を含む、請求項１２に記載のカメラ水中操作方法。
【請求項１４】
前記タッチスクリーン上に配置されたマークは、半透明な、請求項７ないし１１及び１３のいずれか１項に記載のカメラの水中操作方法。
【請求項１５】
前記タッチスクリーン上に配置されたマークは、互いに第１所定間隔以上に離隔した、請求項８ないし１１及び１３のいずれか１項に記載のカメラの水中操作方法。
【請求項１６】
前記タッチスクリーン上に配置されたマークは、前記タッチスクリーンの端と第２所定間隔以上離隔した、請求項７ないし１１及び１３に記載のカメラの水中操作方法。
【発明の詳細な説明】
【技術分野】
【０００１】
本発明は、カメラの水中操作方法に関するもので、より詳しくは、水中でタッチ圧力を利用してタッチ位置を検出することができるカメラの水中操作方法に関する。
【背景技術】
【０００２】
コンピューティングシステムの操作のために多様な種類の入力装置が用いられている。例えば、ボタン（ｂｕｔｔｏｎ）、キー（ｋｅｙ）、ジョイステック（ｊｏｙｓｔｉｃｋ）、及びタッチスクリーンのような入力装置が用いられている。タッチスクリーンの容易で手軽な操作により、コンピューティングシステムの操作時にタッチスクリーンの利用が増加している。
【０００３】
タッチスクリーンは、タッチ−感応表面（ｔｏｕｃｈ−ｓｅｎｓｉｔｉｖｅ ｓｕｒｆａｃｅ）を備えた透明なパネルであってもよいタッチセンサーパネル（ｔｏｕｃｈ ｓｅｎｓｏｒ ｐａｎｅｌ）を含んでもよい。このようなタッチセンサーパネルは、ディスプレイパネルの前面に付着されてタッチ−感応表面がディスプレイパネルの見える面を覆うことができる。タッチスクリーンは、使用者が指などでスクリーンを単純に接触することにより、使用者がコンピューティングシステムを操作することができるようにする。一般的に、タッチスクリーンは、パネル上の接触及び接触位置を認識し、コンピューティングシステムはこのような接触を解釈することにより、これに従い演算を行うことができる。
【０００４】
しかし、前記タッチスクリーンは、水中で正常な動作が不可能であるため、前記タッチスクリーンを備えたカメラは、水中でタッチを利用して撮影することができない問題があった。
【０００５】
したがって、水中でタッチを利用して撮影することができるようにする研究が必要になった。
【発明の概要】
【発明が解決しようとする課題】
【０００６】
そこで、本発明の様々な実施形態により、水中でタッチ圧力を利用してタッチ位置を検出することができるカメラの水中操作方法を提供する。
【課題を解決するための手段】
【０００７】
本発明の実施形態によるカメラの水中操作方法は、タッチスクリーン、プロセッサ、及び制御部を含むタッチ入力装置に内蔵されたカメラの水中操作方法において、水中でタッチ圧力による静電容量の変化量でタッチ位置を検出する第１駆動モードが動作される段階と、客体による前記タッチスクリーンに対するタッチを通じてカメラの動作を水中で制御する段階と、を含む。
【発明の効果】
【０００８】
本発明の様々な実施形態によれば、水中でタッチ圧力を利用してタッチ位置を検出することができるカメラの水中操作方法を提供することができる。
【０００９】
また、本発明の実施形態によれば、自動で水中であることを判断するカメラの水中操作方法を提供することができる。
【図面の簡単な説明】
【００１０】
【図１】一実施形態によるタッチ入力装置の構造図である。
【図２ａ】一般的な環境におけるタッチスクリーンにおいて検出される静電容量の変化量を示した図面である。
【図２ｂ】一般的な環境におけるタッチスクリーンにおいて検出される静電容量の変化量を示した図面である。
【図２ｃ】一般的な環境におけるタッチスクリーンにおいて検出される静電容量の変化量を示した図面である。
【図２ｄ】一般的な環境におけるタッチスクリーンにおいて検出される静電容量の変化量を示した図面である。
【図３ａ】水中におけるタッチスクリーンにおいて検出される静電容量の変化量を示した図面である。
【図３ｂ】水中におけるタッチスクリーンにおいて検出される静電容量の変化量を示した図面である。
【図３ｃ】水中におけるタッチスクリーンにおいて検出される静電容量の変化量を示した図面である。
【図３ｄ】水中におけるタッチスクリーンにおいて検出される静電容量の変化量を示した図面である。
【図３ｅ】水中におけるタッチスクリーンにおいて検出される静電容量の変化量を示した図面である。
【図３ｆ】水中におけるタッチスクリーンにおいて検出される静電容量の変化量を示した図面である。
【図４】圧力による静電容量の変化量を説明するための図面である。
【図５】圧力による静電容量の変化量を説明するための図面である。
【図６ａ】タッチ時間を説明するために図面である。
【図６ｂ】タッチ時間を説明するために図面である。
【図７ａ】実施形態によるカメラの水中操作方法を説明するためのフローチャートである。
【図７ｂ】実施形態によるカメラの水中操作方法を説明するためのフローチャートである。
【図７ｃ】実施形態によるカメラの水中操作方法を説明するためのフローチャートである。
【図８ａ】水中で操作されるカメラのユーザインタフェースの多様な実施例を示す。
【図８ｂ】水中で操作されるカメラのユーザインタフェースの多様な実施例を示す。
【図８ｃ】水中で操作されるカメラのユーザインタフェースの多様な実施例を示す。
【図８ｄ】水中で操作されるカメラのユーザインタフェースの多様な実施例を示す。
【図９】一実施形態によるカメラの終了方法を例示する。
【図１０】第１実施形態によるタッチスクリーンの構造図を例示する。
【図１１ａ】第１実施形態によるタッチスクリーンのタッチ位置感知モジュールの構造図である。
【図１１ｂ】第１実施形態によるタッチスクリーンのタッチ位置感知モジュールの構造図である。
【図１１ｃ】第１実施形態によるタッチスクリーンのタッチ位置感知モジュールの構造図である。
【図１１ｄ】第１実施形態によるタッチスクリーンのタッチ位置感知モジュールの構造図である。
【図１２ａ】第１実施形態によるタッチスクリーンのタッチ圧力感知モジュールの構造図である。
【図１２ｂ】第１実施形態によるタッチスクリーンのタッチ圧力感知モジュールの構造図である。
【図１２ｃ】第１実施形態によるタッチスクリーンのタッチ圧力感知モジュールの構造図である。
【図１２ｄ】第１実施形態によるタッチスクリーンのタッチ圧力感知モジュールの構造図である。
【図１２ｅ】第１実施形態によるタッチスクリーンのタッチ圧力感知モジュールの構造図である。
【図１２ｆ】第１実施形態によるタッチスクリーンのタッチ圧力感知モジュールの構造図である。
【図１３】第２実施形態によるタッチスクリーンの構造図を例示する。
【図１４ａ】第２実施形態によるタッチスクリーンのタッチ位置−圧力感知モジュールの構造図である。
【図１４ｂ】第２実施形態によるタッチスクリーンのタッチ位置−圧力感知モジュールの構造図である。
【図１４ｃ】第２実施形態によるタッチスクリーンのタッチ位置−圧力感知モジュールの構造図である。
【図１４ｄ】第２実施形態によるタッチスクリーンのタッチ位置−圧力感知モジュールの構造図である。
【図１４ｅ】第２実施形態によるタッチスクリーンのタッチ位置−圧力感知モジュールの構造図である。
【図１４ｆ】第２実施形態によるタッチスクリーンのタッチ位置−圧力感知モジュールの構造図である。
【図１４ｇ】第２実施形態によるタッチスクリーンのタッチ位置−圧力感知モジュールの構造図である。
【図１４ｈ】第２実施形態によるタッチスクリーンのタッチ位置−圧力感知モジュールの構造図である。
【図１４ｉ】第２実施形態によるタッチスクリーンのタッチ位置−圧力感知モジュールの構造図である。
【図１４ｊ】第２実施形態によるタッチスクリーンのタッチ位置−圧力感知モジュールの構造図である。
【図１４ｋ】第２実施形態によるタッチスクリーンのタッチ位置−圧力感知モジュールの構造図である。
【図１５】第３実施形態によるタッチスクリーンの構造図を例示する。
【図１６ａ】第３実施形態によるタッチスクリーンのタッチ圧力感知モジュールである。
【図１６ｂ】第３実施形態によるタッチスクリーンのタッチ圧力感知モジュールである。
【図１７ａ】第４実施形態によるタッチスクリーンの構造図を例示する。
【図１７ｂ】第４実施形態によるタッチスクリーンのタッチ圧力感知及びタッチ位置感知のための構造図である。
【図１７ｃ】第４実施形態によるタッチスクリーンのタッチ圧力感知及びタッチ位置感知のための構造図である。
【図１８ａ】実施形態によるタッチ感知モジュールに形成された電極の形態を示す構造図である。
【図１８ｂ】実施形態によるタッチ感知モジュールに形成された電極の形態を示す構造図である。
【図１８ｃ】実施形態によるタッチ感知モジュールに形成された電極の形態を示す構造図である。
【図１８ｄ】実施形態によるタッチ感知モジュールに形成された電極の形態を示す構造図である。
【発明を実施するための形態】
【００１１】
後述する本発明に対する詳細な説明は、本発明を実施することができる特定の実施形態を例示として図示する添付の図面を参照する。これらの実施形態は、当業者が本発明を実施するのに十分なように詳しく説明する。本発明の多様な実施形態は互いに異なるが、相互に排他的である必要はないことが理解されなければならない。後述する詳細な説明は、限定的な意味として取ろうとするのではなく、本発明の範囲は、適切に説明されるならば、その請求項が主張するのと均等なすべての範囲とともに添付された請求項によってのみ限定される。図面において類似の参照符号は様々な側面にわたって同一もしくは類似の機能を指し示す。
【００１２】
以下、添付される図面を参照して本発明の実施形態によるタッチスクリーン１３０を含むタッチ入力装置１００を説明する。本発明の実施形態によるタッチ入力装置１００の機能及び特徴を詳しくみる前に、タッチ入力装置１００に含まれるタッチスクリーン１３０について図１０ないし図１８を参照して詳しく見てみる。
【００１３】
図１０は、第１実施形態によるタッチスクリーンの構造図を例示する。
【００１４】
図１０に示されたように、タッチスクリーン１３０は、タッチ位置感知モジュール１０００、前記タッチ位置感知モジュール１０００の下部に配置されたタッチ圧力感知モジュール２０００、前記タッチ圧力感知モジュール２０００の下部に配置されたディスプレイモジュール３０００、及び前記ディスプレイモジュール３０００の下部に配置された基板４０００を含んでもよい。例えば、タッチ位置感知モジュール１０００及びタッチ圧力感知モジュール２０００は、タッチ−感応表面（ｔｏｕｃｈ−ｓｅｎｓｉｔｉｖｅ ｓｕｒｆａｃｅ）を備えた透明なパネルであってもよい。以下で、タッチ位置及び／又はタッチ圧力を感知するためのモジュール１０００、２０００、３０００、５０００は、統合的にタッチ感知モジュールと指称されてもよい。
【００１５】
ディスプレイモジュール３０００は、使用者が視覚的に内容を確認できるように画面をディスプレイすることができる。この時、ディスプレイモジュール３０００に対するディスプレイは、ディスプレイドライバー（ｄｉｓｐｌａｙ ｄｒｉｖｅｒ）を介して行われてもよい。ディスプレイドライバー（図示せず）は、運営体制がディスプレイアダプタを管理又は制御するためのソフトウェアであって、装置ドライバーの一種である。
【００１６】
図１１ａないし図１１ｄは、第１実施形態によるタッチ位置感知モジュールの構造図であり、図１８ａないし図１８ｃは、実施形態によるタッチ位置感知モジュールに形成された電極の形態を示す構造図である。
【００１７】
図１１ａに示されたように、実施形態によるタッチ位置感知モジュール１０００は、一つの層に形成された第１電極１１００を含んでもよい。この時、第１電極１１００は、図１８ａに示された形態のように複数の電極６１００で構成されて、それぞれの電極６１００に駆動信号が入力され、それぞれの電極から自己静電容量に関する情報を含む感知信号が出力されてもよい。使用者の指のような客体が第１電極１１００に近接する場合、指がグランドの役割をして、第１電極１１００の自己静電容量が変わることになる。したがって、タッチ入力装置１００は、タッチスクリーン１３０に使用者の指のような客体が近接することによって変わる第１電極１１００の自己静電容量を測定してタッチ位置を検出することができる。
【００１８】
図１１ｂに示されたように、実施形態によるタッチ位置感知モジュール１０００は、互いに異なる層に形成された第１電極１１００及び第２電極１２００を含んでもよい。
【００１９】
この時、第１電極１１００及び第２電極１２００は、図１８ｂに示された形態のように、それぞれ複数の第１電極６２００と複数の第２電極６３００で構成され、それぞれ互いに交差するように配列されてもよく、第１電極６２００又は第２電極６３００のうち何れか一つに駆動信号が入力され、他の一つから相互静電容量に関する情報を含む感知信号が出力されてもよい。図１１ｂに示されたように、使用者の指のような客体が第１電極１１００及び第２電極１２００に近接する場合、指がグランドの役割をして、第１電極１１００と第２電極１２００との間の相互静電容量が変わることになる。この場合、タッチ入力装置１００は、タッチスクリーン１３０に使用者の指のような客体が近接することによって変わる第１電極１１００と第２電極１２００との間の相互静電容量を測定してタッチ位置を検出することができる。また、第１電極６２００及び第２電極６３００に駆動信号が入力され、それぞれの第１電極６２００及び第２電極６３００から自己静電容量に関する情報を含む感知信号が出力されてもよい。図１１ｃに示されたように、使用者の指のような客体が第１電極１１００及び第２電極１２００に近接する場合、指がグランド役割をして、第１電極１１００及び第２電極１２００それぞれの自己静電容量が変わることになる。この場合、タッチ入力装置１００は、タッチスクリーン１３０に使用者の指のような客体が近接することによって変わる第１電極１１００及び第２電極１２００の自己静電容量を測定してタッチ位置を検出することができる。
【００２０】
図１１ｄに示されたように、実施形態によるタッチ位置感知モジュール１０００は、一つの層に形成された第１電極１１００及び前記第１電極１１００が形成された層と同じ層に形成された第２電極１２００を含んでもよい。
【００２１】
この時、第１電極１１００及び第２電極１２００は、図１８ｃに示された形態のように、それぞれ複数の第１電極６４００と複数の第２電極６５００で構成され、複数の第１電極６４００と複数の第２電極６５００はそれぞれ互いに交差しないながらも、それぞれの第１電極６４００が延びた方向と交差する方向にそれぞれの第２電極６５００が連結されるように配列されてもよく、図１１ｄに示された第１電極６４００又は第２電極６５００を用いてタッチ位置を検出する原理は、図１１ｃを参照して説明されたことと同一なので省略する。
【００２２】
図１２ａないし図１２ｆは、第１実施形態によるタッチ圧力感知モジュールの構造図であり、図１８ａないし図１８ｄは、実施形態によるタッチ圧力感知モジュールに形成された電極の形態を示す構造図である。
【００２３】
図１２ａないし図１２ｆに示されたように、第１実施形態によるタッチ圧力感知モジュール２０００は、スペーサ層２４００を含んでもよい。スペーサ層２４００は、エアギャップ（ａｉｒ ｇａｐ）で具現されてもよい。スペーサは、実施形態により衝撃吸収物質からなってもよく、また、実施形態により誘電物質（ｄｉｅｌｅｃｔｒｉｃ ｍａｔｅｒｉａｌ）で満たされてもよい。
【００２４】
図１２ａないし図１２ｄに示されたように、第１実施形態によるタッチ圧力感知モジュール２０００は、基準電位層２５００を含んでもよい。基準電位層２５００は、任意の電位を有してもよい。例えば、基準電位層は、グランド（ｇｒｏｕｎｄ）電位を有するグランド層であってもよい。この時、基準電位層は、後述することになるタッチ圧力を感知するための第１電極２１００が形成された２次元平面又は第２電極２２００が形成された２次元平面と平行した平面を有してもよい。図１２ａないし図１２ｄにおいては、タッチ圧力感知モジュール２０００が基準電位層２５００を含むものと説明したが、必ずしもこれに限定される訳ではなく、タッチ圧力感知モジュール２０００が基準電位層２５００を含まず、タッチ圧力感知モジュール２０００の下部に配置されたディスプレイモジュール３０００又は基板４０００が基準電位層の役割をすることができる。
【００２５】
図１２ａに示されたように、実施形態によるタッチ圧力感知モジュール２０００は、一つの層に形成された第１電極２１００、前記第１電極２１００が形成された層の下部に形成されたスペーサ層２４００、及び前記スペーサ層２４００の下部に形成された基準電位層２５００を含んでもよい。
【００２６】
この時、第１電極２１００は、図１８ａに示された形態のように、複数の電極６１００で構成されて、それぞれの電極６１００に駆動信号が入力され、それぞれの電極から自己静電容量に関する情報を含む感知信号が出力されてもよい。使用者の指又はスタイラスのような客体によってタッチスクリーン１３０に圧力が加えられる場合、図１２ｂに示されたように、第１電極２１００が少なくともタッチ位置でたわむことになり、第１電極２１００と基準電位層２５００との間の距離ｄが変わることになって、これにより、第１電極２１００の自己静電容量が変わることになる。したがって、タッチ入力装置１００は、タッチスクリーン１３０に使用者の指又はスタイラスのような客体により、圧力が加えられることによって変わる第１電極２１００の自己静電容量を測定してタッチ圧力を検出することができる。このように、第１電極２１００が複数の電極６１００で構成されているので、タッチスクリーン１３０に同時に入力されたマルチタッチそれぞれの圧力を検出することができる。また、マルチタッチそれぞれの圧力を検出する必要がない場合、タッチ位置とは関係なく、タッチスクリーン１３０に加えられる全体的な圧力だけ検出すればよいので、タッチ圧力感知モジュール２０００の第１電極２１００は、図１８ｄに示された形態のように一つの電極６６００で構成されてもよい。
【００２７】
図１２ｃに示されたように、実施形態によるタッチ圧力感知モジュール２０００は、第１電極２１００、第１電極２１００が形成された層の下部に形成された第２電極２２００、前記第２電極２２００が形成された層の下部に形成されたスペーサ層２４００、及び前記スペーサ層２４００の下部に形成された基準電位層２５００を含んでもよい。
【００２８】
この時、第１電極２１００及び第２電極２２００は、図１８ｂに示された形態のように構成及び配列されてもよく、第１電極６２００又は第２電極６３００の何れか一つに駆動信号が入力され、他の一つから相互静電容量に関する情報を含む感知信号が出力されてもよい。タッチスクリーン１３０に圧力が加えられる場合、図１２ｄに示されたように、第１電極２１００及び第２電極２２００が少なくともタッチ位置でたわむことになり、第１電極２１００及び第２電極２２００と基準電位層２５００との間の距離ｄが変わることになり、これにより、第１電極２１００と第２電極２２００との間の相互静電容量が変わることになる。したがって、タッチ入力装置１００は、タッチスクリーン１３０に圧力が加えられることによって変わる第１電極２１００と第２電極２２００との間の相互静電容量を測定してタッチ圧力を検出することができる。このように、第１電極２１００及び第２電極２２００がそれぞれ複数の第１電極６２００及び複数の第２電極６３００で構成されているので、タッチスクリーン１３０に同時に入力されたマルチタッチそれぞれの圧力を検出することができる。また、マルチタッチそれぞれの圧力を検出する必要がない場合、タッチ圧力感知モジュール２０００の第１電極２１００及び第２電極２２００のうち少なくとも一つは、図１８ｄに示された形態のように一つの電極６６００で構成されてもよい。
【００２９】
この時、第１電極２１００と第２電極２２００が同一の層に形成された場合にも、図１２ｃで説明したことと同様に、タッチ圧力が感知されてもよい。ただし、第１電極２１００及び第２電極２２００は、図１８ｃに示された形態のように構成及び配列されてもよく、図１８ｄに示された形態のように一つの電極６６００で構成されてもよい。
【００３０】
図１２ｅに示されたように、実施形態によるタッチ圧力感知モジュール２０００は、一つの層に形成された第１電極２１００、前記第１電極２１００が形成された層の下部に形成されたスペーサ層２４００、及び前記スペーサ層２４００の下部層に形成された第２電極２２００を含んでもよい。
【００３１】
図１２ｅにおいて第１電極２１００と第２電極２２００の構成及び動作は、図１２ｃを参照して説明したことと同一なので省略する。ただし、タッチスクリーン１３０に圧力が加えられる場合、図１２ｆに示されたように、第１電極２１００が少なくともタッチ位置でたわむことになり、第１電極２１００と第２電極２２００との間の距離ｄが変わることになって、これにより、第１電極２１００と第２電極２２００との間の相互静電容量が変わることになる。したがって、タッチ入力装置１００は、第１電極２１００と第２電極２２００との間の相互静電容量を測定してタッチ圧力を検出することができる。
【００３２】
図１３に示されたように、第２実施形態によるタッチスクリーン１３０は、タッチ位置−圧力感知モジュール５０００、前記タッチ位置−圧力感知モジュール５０００の下部に配置されたディスプレイモジュール３０００、及び前記ディスプレイモジュール３０００の下部に配置された基板４０００を含んでもよい。
【００３３】
図１０に示された実施形態と異なり、図１３に示された実施形態によるタッチ位置−圧力感知モジュール５０００は、タッチ位置を感知するための少なくとも一つの電極及びタッチ圧力を感知するための少なくとも一つの電極を含むが、前記電極のうち少なくとも一つの電極がタッチ位置及びタッチ圧力を感知するのに全て使用される。このようにタッチ位置を感知するための電極とタッチ圧力を感知するための電極を共有することにより、タッチ位置−圧力感知モジュールの製造単価が低くなり、全体的なタッチスクリーン１３０の厚さを低減させることができ、製造工程が単純になり得る。このようにタッチ位置を感知するための電極とタッチ圧力を感知するための電極とを共有する場合において、タッチ位置に対する情報を含む感知信号とタッチ圧力に対する情報を含む感知信号との区分が必要な場合、タッチ位置を感知するための駆動信号とタッチ圧力を感知するための駆動信号との周波数を別にしたり、タッチ位置を感知する時間区間とタッチ圧力を感知する時間区間とを別にして、タッチ位置とタッチ圧力とを区分して感知することができる。
【００３４】
図１４ａないし図１４ｋは、第２実施形態によるタッチ位置−圧力感知モジュールの構造図である。図１４ａないし図１４ｋに示されたように、第２実施形態によるタッチ位置−圧力感知モジュール５０００は、スペーサ層５４００を含んでもよい。
【００３５】
図１４ａないし図１４ｉに示されたように、実施形態によるタッチ位置−圧力感知モジュール５０００は、基準電位層５５００を含んでもよい。基準電位層５５００に対する説明は、図１２ａないし図１２ｄを参照して説明したことと同一なので省略する。ただし、基準電位層は、後述することになるタッチ圧力を感知するための第１電極５１００が形成された２次元平面、第２電極５２００が形成された２次元平面又は第３電極５３００が形成された２次元平面と平行した平面を有してもよい。
【００３６】
図１４ａに示されたように、実施形態によるタッチ位置−圧力感知モジュール５０００は、一つの層に形成された第１電極５１００、前記第１電極５１００が形成された層の下部に形成されたスペーサ層５４００、及び前記スペーサ層５４００の下部に形成された基準電位層５５００を含んでもよい。
【００３７】
図１４ａ及び図１４ｂの構成に対する説明は、図１２ａ及び図１２ｂを参照した説明と類似しており、以下ではその差異点のみを説明する。図１４ｂに示されたように、使用者の指のような客体が第１電極５１００に近接する場合、指がグランドの役割をして、第１電極５１００の自己静電容量の変化を通じてタッチ位置を検出でき、また、前記客体によってタッチスクリーン１３０に圧力が加えられる場合、第１電極５１００と基準電位層５５００との間の距離ｄが変わることになり、これにより、第１電極２１００の自己静電容量の変化を通じてタッチ圧力を検出することができる。
【００３８】
図１４ｃに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部に形成されたスペーサ層５４００、及び前記スペーサ層５４００の下部に形成された基準電位層５５００を含んでもよい。
【００３９】
図１４ｃないし図１４ｆの構成に対する説明は、図１２ｃ及び図１２ｄを参照した説明と類似しており、以下ではその差異点のみを説明する。この時、第１電極５１００及び第２電極５２００は、図１８ａに示された形態のように、それぞれ複数の電極６１００で構成されてもよい。図１４ｄに示されたように、使用者の指のような客体が第１電極５１００に近接する場合、指がグランドの役割をして、第１電極５１００の自己静電容量の変化を通じてタッチ位置を検出でき、また、前記客体によってタッチスクリーン１３０に圧力が加えられる場合、第１電極５１００及び第２電極５２００と基準電位層５５００との間の距離ｄが変わることになり、これにより、第１電極５１００と第２電極５２００との間の相互静電容量の変化を通じてタッチ圧力を検出することができる。
【００４０】
また、実施形態により第１電極５１００及び第２電極５２００は、図１８ｂに示された形態のように、それぞれ複数の第１電極６２００と複数の第２電極６３００で構成され、それぞれ互いに交差するように配列されてもよい。この時、第１電極５１００と第２電極５２００との間の相互静電容量の変化を通じてタッチ位置を検出でき、第２電極５２００と基準電位層５５００との間の距離ｄが変化に伴う第２電極５２００の自己静電容量の変化を通じてタッチ圧力を検出することができる。また、実施形態により、第１電極５１００と第２電極５２００との間の相互静電容量の変化を通じてタッチ位置を検出でき、また、第１電極５１００及び第２電極５２００と基準電位層５５００との間の距離ｄが変化に伴う第１電極５１００と第２電極５２００との間の相互静電容量の変化を通じてタッチ圧力を検出することができる。
【００４１】
この時、第１電極５１００と第２電極５２００が同一の層に形成された場合にも、図１４ｃ及び図１４ｄを参照して説明したことと同様に、タッチ位置及び圧力が感知されてもよい。ただし、図１４ｃ及び図１４ｄにおいて、電極が図１８ｂのように構成されなければならない実施形態に対しては、第１電極５１００及び第２電極５２００が同一の層に形成される場合には、図１８ｃに示された形態のように第１電極５１００及び第２電極５２００が構成されてもよい。
【００４２】
図１４ｅに示されたように、実施形態によるタッチ位置−圧力感知モジュール５０００は、同一の層に形成された第１電極５１００及び第２電極５２００、前記第１電極５１００及び第２電極５２００が形成された層の下部層に形成された第３電極５３００、前記第３電極５３００が形成された層の下部に形成されたスペーサ層５４００、及び前記スペーサ層５４００の下部に形成された基準電位層５５００を含んでもよい。
【００４３】
この時、第１電極５１００及び第２電極５２００は、図１８ｃに示された形態のように構成及び配列されてもよく、第１電極５１００及び第３電極５３００は、図１８ｂに示された形態のように構成及び配列されてもよい。図１４ｆに示されたように、使用者の指のような客体が第１電極５１００及び第２電極５２００に近接する場合、第１電極５１００及び第２電極５２００との間の相互静電容量が変わることになり、タッチ位置を検出することができ、また、前記客体によってタッチスクリーン１３０に圧力が加えられる場合、第１電極５１００及び第３電極５３００と基準電位層５５００との間の距離ｄが変わることになり、これにより、第１電極５１００と第３電極５３００との間の相互静電容量が変わることになって、タッチ圧力を検出することができる。また、実施形態により第１電極５１００と第３電極５３００との間の相互静電容量の変化を通じてタッチ位置を検出することができ、第１電極５１００と第２電極５２００との間の相互静電容量の変化を通じてタッチ圧力を検出することができる。
【００４４】
図１４ｇに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層と同じ層に形成された第３電極５３００、前記第２電極５２００及び第３電極５３００が形成された層の下部に形成されたスペーサ層５４００、及び前記スペーサ層５４００の下部に形成された基準電位層５５００を含んでもよい。
【００４５】
この時、第１電極５１００及び第２電極５２００は、図１８ｂに示された形態のように構成及び配列され、第２電極５２００及び第３電極５３００は、図１８ｃに示された形態のように構成及び配列されてもよい。図１４ｈの場合、第１電極５１００と第２電極５２００との間の相互静電容量の変化を通じてタッチ位置を検出することができ、第２電極５２００と第３電極５３００との間の相互静電容量の変化を通じてタッチ圧力を検出することができる。また、実施形態により、第１電極５１００と第３電極５３００との間の相互静電容量の変化を通じてタッチ位置を検出することができ、第１電極５１００と第２電極５２００との間の相互静電容量の変化を通じてタッチ圧力を検出することができる。
【００４６】
図１４ｉに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部層に形成された第３電極５３００、前記第３電極５３００が形成された層の下部に形成されたスペーサ層５４００、及び前記スペーサ層５４００の下部に形成された基準電位層５５００を含んでもよい。
【００４７】
この時、第１電極５１００及び第２電極５２００は、図１８ｂに示された形態のように構成及び配列されてもよく、第２電極５２００及び第３電極５３００もまた図１８ｂに示された形態のように構成及び配列されてもよい。この時、使用者の指のような客体が第１電極５１００及び第２電極５２００に近接する場合、指がグランドの役割をして、第１電極５１００及び第２電極５２００との間の相互静電容量の変化を通じてタッチ位置を検出することができ、また、前記客体によってタッチスクリーン１３０に圧力が加えられる場合、第２電極５２００及び第３電極５３００と基準電位層５５００との間の距離ｄが変わることになり、これにより、第２電極５２００と第３電極５３００との間の相互静電容量の変化を通じてタッチ圧力を検出することができる。また、実施形態により、使用者の指のような客体が第１電極５１００及び第２電極５２００に近接する場合、指がグランドの役割をして、第１電極５１００及び第２電極５２００それぞれの自己静電容量の変化を通じてタッチ位置を検出することもできる。
【００４８】
図１４ｊに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部に形成されたスペーサ層５４００、及び前記スペーサ層５４００の下部層に形成された第３電極５３００を含んでもよい。
【００４９】
この時、第１電極５１００及び第２電極５２００は、図１８ｂに示された形態のように構成及び配列されてもよく、第３電極５３００は、図１８ａに示された形態のように構成されるか、又は、第２電極５２００及び第３電極５３００が図１８ｂに示された形態のように構成及び配列されてもよい。この時、使用者の指のような客体が第１電極５１００及び第２電極５２００に近接する場合、指がグランドの役割をして、第１電極５１００及び第２電極５２００との間の相互静電容量の変化を通じてタッチ位置を検出することができ、また、前記客体によってタッチスクリーン１３０に圧力が加えられる場合、第２電極５２００と第３電極５３００との間の距離ｄが変わることになり、これにより、第２電極５２００と第３電極５３００との間の相互静電容量の変化を通じてタッチ圧力を検出することができる。また、実施形態により、使用者の指のような客体が第１電極５１００及び第２電極５２００に近接する場合、指がグランドの役割をして、第１電極５１００及び第２電極５２００それぞれの自己静電容量の変化を通じてタッチ位置を検出することができる。
【００５０】
図１４ｋに示されたように、実施形態によるタッチ位置−圧力感知モジュール５０００は、一つの層に形成された第１電極５１００、前記第１電極５１００が形成された層の下部に形成されたスペーサ層５４００、及び前記スペーサ層５４００の下部層に形成された第２電極５２００を含んでもよい。
【００５１】
この時、第１電極５１００及び第２電極５２００は、図１８ｂに示された形態のように構成及び配列されてもよい。この時、第１電極５１００と第２電極５２００との間の相互静電容量が変化を通じてタッチ位置を検出することができ、また、前記客体によってタッチスクリーン１３０に圧力が加えられる場合、第１電極５１００と第２電極５２００との間の距離ｄが変わることになり、これにより、第１電極５１００と第２電極５２００との間の相互静電容量の変化を通じてタッチ圧力を検出することができる。また、第１電極５１００及び第２電極５２００は、図１８ａに示された形態のように構成及び配列されてもよい。この時、使用者の指のような客体が第１電極５１００に近接する場合、指がグランドの役割をして、第１電極５１００の自己静電容量が変わることになり、タッチ位置を検出することができ、第１電極５１００と第２電極５２００との間の相互静電容量の変化を通じてタッチ圧力を検出することができる。
【００５２】
図１５に示されたように、第３実施形態によるタッチスクリーン１３０は、タッチ位置感知モジュール１０００、前記タッチ位置感知モジュール１０００の下部に配置されたディスプレイモジュール３０００、前記ディスプレイモジュール３０００の下部に配置されたタッチ圧力感知モジュール２０００、及び前記タッチ圧力感知モジュール２０００の下部に配置された基板４０００を含んでもよい。
【００５３】
図１０及び図１３に示された実施形態によるタッチスクリーン１３０は、スペーサ層２４００、５４００を含むタッチ圧力感知モジュール２０００、又は、タッチ位置−圧力感知モジュール５０００がディスプレイモジュール３０００の上部に配置されるため、ディスプレイモジュール３０００の色の鮮明度、視認性、及び光の透過率が低下することがある。したがって、このような問題点が発生することを防止するために、タッチ位置感知モジュール１０００とディスプレイモジュール２０００をＯＣＡ（Ｏｐｔｉｃａｌｌｙ Ｃｌｅａｒ Ａｄｈｅｓｉｖｅ）のような接着剤を使用して完全ラミネーション（ｌａｍｉｎａｔｉｏｎ）させ、タッチ圧力感知モジュール２０００をディスプレイモジュール３０００の下部に配置することによって、前述した問題点を軽減及び解消することができる。また、ディスプレイモジュール３０００と基板４０００との間に既に形成されている間隙を、タッチ圧力を感知するためのスペーサ層として使用することによって、全体的なタッチスクリーン１３０の厚さを減少させることができる。
【００５４】
図１５に示された実施形態のタッチ位置感知モジュール１０００は、図１１ａないし図１１ｄに示されたタッチ位置感知モジュールと同一である。
【００５５】
図１５に示された実施形態のタッチ圧力感知モジュール２０００は、図１２ａないし図１２ｆに示されたタッチ圧力感知モジュール、及び図１６ａないし図１６ｂに示されたタッチ圧力感知モジュールであってもよい。
【００５６】
図１６ａに示されたように、実施形態によるタッチ圧力感知モジュール２０００は、基準電位層２５００、前記基準電位層２５００の下部に形成されたスペーサ層２４００、及び前記スペーサ層２４００の下部層に形成された第１電極２１００を含んでもよい。図１６ａの構成及び動作は、単に基準電位層２５００と第１電極２１００の相対的な位置が交替したことを除いて図１２ａ及び図１２ｂの構成及び動作と同一なので、以下重複する説明は省略する。
【００５７】
図１６ｂに示されたように、実施形態によるタッチ圧力感知モジュール２０００は、基準電位層２５００、前記グランドの下部に形成されたスペーサ層２４００、前記スペーサ層２４００の下部層に形成された第１電極２１００、及び前記第１電極２１００が形成された層の下部層に形成された第２電極２２００を含んでもよい。図１６ｂの構成及び動作は、単に基準電位層２５００と第１電極２１００及び第２電極２２００の相対的な位置が交替したことを除いて図１２ｃ及び図１２ｄの構成及び動作と同一なので、以下重複する説明は省略する。この時、第１電極２１００と第２電極２２００が同一の層に形成された場合にも、図１２ｃ及び図１２ｄで説明したことと同様にタッチ圧力が感知されてもよい。
【００５８】
図１５においては、タッチ位置感知モジュール１０００の下部にディスプレイモジュール３０００が配置されたものと説明したが、タッチ位置感知モジュール１０００がディスプレイモジュール３０００の内部に含まれた形態も可能である。また、図１５ではディスプレイモジュール３０００の下部にタッチ圧力感知モジュール２０００が配置されたものと説明したが、タッチ圧力感知モジュール２０００の一部がディスプレイモジュール３０００の内部に含まれた形態も可能である。具体的に、前記タッチ圧力感知モジュール２０００の基準電位層２５００がディスプレイモジュール３０００の内部に配置され、前記ディスプレイモジュール３０００の下部に電極２１００、２２００が形成されてもよい。このように基準電位層２５００がディスプレイモジュール３０００の内部に配置されれば、ディスプレイモジュール３０００の内部に形成されている間隙を、タッチ圧力を感知するためのスペーサ層として使用することによって、全体的なタッチスクリーン１３０の厚さを減少させることができる。この時、前記基板４０００の上部に電極２１００、２２００が形成されてもよい。このように、電極２１００、２２００が基板４０００の上部に形成されれば、ディスプレイモジュール３０００の内部に形成されている間隙だけでなく、ディスプレイモジュール３０００と基板４０００との間に形成されている間隙をタッチ圧力を感知するためのスペーサ層として使用することによって、タッチ圧力を感知する感度をもう少し高めることができる。
【００５９】
図１７ａは、第４実施形態によるスクリーンの構造図を例示する。図１７ａに示されたように、本発明の第４実施形態によるタッチスクリーン１３０は、ディスプレイモジュール３０００内にタッチ位置感知モジュールとタッチ圧力感知モジュールのうち少なくとも一つを含んでもよい。
【００６０】
図１７ｂ及び１７ｃは、それぞれ第４実施形態によるタッチスクリーンのタッチ圧力感知及びタッチ位置感知のための構造図である。図１７ｂ及び図１７ｃでは、ディスプレイモジュール３０００としてＬＣＤパネルを例示する。
【００６１】
ＬＣＤパネルの場合、ディスプレイモジュール３０００は、ＴＦＴ層３１００及びカラーフィルター層３３００（ｃｏｌｏｒ ｆｉｌｔｅｒ ｌａｙｅｒ）を含んでもよい。ＴＦＴ層３１００は、その真上に位置するＴＦＴ基板層３１１０を含む。カラーフィルター層３３００は、その真下に位置するカラーフィルター基板層３２００を含む。ディスプレイモジュール３０００は、ＴＦＴ層３１００とカラーフィルター層３３００との間に液晶層３６００（ｌｉｑｕｉｄ ｃｒｙｓｔａｌ ｌａｙｅｒ）を含む。この時、ＴＦＴ基板層３１１０は，液晶層３６００を駆動するための電場（ｅｌｅｃｔｒｉｃ ｆｉｅｌｄ）を生成するのに必要な電気的構成要素を含む。特に、ＴＦＴ基板層３１１０は、データライン（ｄａｔａ ｌｉｎｅ）、ゲートライン（ｇａｔｅ ｌｉｎｅ）、ＴＦＴ、共通（ｃｏｍｍｏｎ）電極、及びピクセル電極などを含む多様な層からなってもよい。これらの電気的構成要素は、制御された電場を生成して液晶層３６００に位置した液晶を配向させるように作動することができる。
【００６２】
図１７ｂに例示されたように、本発明のディスプレイモジュール３０００は、カラーフィルター基板層３２００に配置されたサブフォトスペーサ３５００（ｓｕｂ−ｐｈｏｔｏ ｓｐａｃｅｒ）を含んでもよい。これらのサブフォトスペーサ３５００は、ロー共通電極３４１０と隣接したガード遮蔽電極３４２０との間の境界点の上に配置されてもよい。この時、ＩＴＯのような伝導性物質層３５１０がサブフォトスペーサ３５００上にパターニングされてもよい。ここで、フリンジ静電容量Ｃ１がロー共通電極３４１０と伝導性物質層３５１０との間に形成され、フリンジ静電容量Ｃ２がガード遮蔽電極３４２０と伝導性物質層３５１０との間に形成されてもよい。
【００６３】
図１７ｂに例示されたようなディスプレイモジュール３０００がタッチ圧力感知モジュールとして動作する時、外部圧力によってサブフォトスペーサ３５００とＴＦＴ基板層３１１０との間の距離が減少し、これによりロー共通電極３４１０とガード遮蔽電極３４２０との間の静電容量が減少することができる。したがって、図１７ｂにおいて、伝導性物質層３５１０が基準電位層の役割を行い、ロー共通電極３４１０とガード遮蔽電極３４２０との間の静電容量の変化を感知することによって、タッチ圧力を感知することができる。
【００６４】
図１７ｃは、ＬＣＤパネルが、ディスプレイモジュール３０００がタッチ位置感知モジュールとして用いられる場合の構造を例示する。図１７ｃでは、共通電極３７３０の配列を例示する。この時、タッチ位置を検出するために、これらの共通電極３７３０は第１領域３７１０と第２領域３７２０とにグループ付けすることができる。したがって、例えば一つの第１領域３７１０に含まれた共通電極３７３０は、図１８ｃの第１電極６４００に対応して機能するように操作されてもよく、また、一つの第２領域３７２０に含まれた共通電極３７３０は、図１８ｃの第２電極６５００に対応して機能するように操作されてもよい。すなわち、ＬＣＤパネルを動作させるための電気的な構成である共通電極３７３０をタッチ位置を検出するのに利用するために共通電極３７３０はグルーピングされてもよく、このようなグルーピングは、構造的な構成と共に動作操作によって達成され得る。
【００６５】
以上で詳しく見たように、図１７に例示されたようなディスプレイモジュール３０００は、ディスプレイモジュール３０００の電気的構成要素を本来の目的どおりに動作するようにすることによって、ディスプレイモジュール３０００として機能することができる。また、ディスプレイモジュール３０００は、ディスプレイモジュール３０００の電気的構成要素の少なくとも一部をタッチ圧力感知のために動作するようにすることによって、タッチ圧力感知モジュールとして機能することができる。また、ディスプレイモジュール３０００は、ディスプレイモジュール３０００の電気的構成要素の少なくとも一部をタッチ位置感知のために動作するようにすることによって、タッチ位置感知モジュールとして機能することができる。この時、それぞれの動作モード（ｍｏｄｅ）は、時分割で動作することができる。すなわち、第１時間区間にディスプレイモジュール３０００はディスプレイモジュールとして作動し、第２時間区間に圧力感知モジュールとして、及び／又は第３時間区間に位置感知モジュールとして機能することができる。
【００６６】
図１７ｂ及び図１７ｃにおいては、単に説明のためにタッチ圧力及び位置感知のためのそれぞれの構造に対して例示するだけであり、ディスプレイモジュール３０００のディスプレイ動作のための電気的構成要素を操作することによって、ディスプレイモジュール３０００がタッチ圧力及び／又はタッチ位置感知のために用いられ得る場合ならば、第４実施形態に含まれてもよい。
【００６７】
図１は、実施形態によるタッチ入力装置１００の構造図である。図１を参照すると、本発明の実施形態によるタッチ入力装置１００は、制御器１１０、タッチスクリーン１３０、及びプロセッサ１４０を含んでもよい。
【００６８】
タッチスクリーン１３０に対するタッチを通じてタッチ入力装置１００に対する入力（ｉｎｐｕｔ）が行われてもよい。本発明の実施形態によるタッチ入力装置１００は、ノートブック（ｎｏｔｅｂｏｏｋ）コンピュータ、ＰＤＡ（Ｐｅｒｓｏｎａｌ Ｄｉｇｉｔａｌ Ａｓｓｉｓｔａｎｔ）、及びスマートフォン（ｓｍａｒｔ ｐｈｏｎｅ）のような携帯用電子装置であってもよい。また、本発明の実施形態によるタッチ入力装置１００は、デスクトップ（ｄｅｓｋｔｏｐ）コンピュータ、スマートテレビ（ｓｍａｒｔ ｔｅｌｅｖｉｓｉｏｎ）のような非移動式電子装置であってもよい。
【００６９】
本発明の実施形態によるタッチスクリーン１３０は、使用者が指のような客体でスクリーンを接触（タッチ）することにより、使用者がコンピューティングシステムを操作することができるようにする。一般的に、タッチスクリーン１３０はパネル上の接触を認識し、コンピューティングシステムは、このような接触を解釈することによって、これに従い演算を行うことができる。
【００７０】
図１に示されたように、実施形態によるプロセッサ１４０は、タッチスクリーン１３０に対するタッチの際、タッチの位置を検出することができる。また、プロセッサ１４０は、タッチスクリーン１３０に対するタッチの際、タッチにより発生する静電容量の変化量を測定することができる。
【００７１】
実施形態によるタッチ入力装置１００は、第１駆動モードと第２駆動モードとで動作することができる。実施形態によるタッチ入力装置１００は、第１駆動モードと第２駆動モードの何れか一つをデフォルト（ｄｅｆａｕｌｔ）駆動モードにして操作することができる。例えば、実施形態によるタッチ入力装置１００は、第２駆動モードをデフォルトにして作動することができる。
【００７２】
第２駆動モードにおいては、実施形態によるタッチ入力装置１００が導体のようなタッチ客体でタッチされ、このような客体を通じた静電容量の変化の発生が容易な環境で作動されてもよい。第２駆動モードにおいて、実施形態によるタッチ入力装置１００は、例えば、プロセッサ１４０において一般的にタッチ位置を検出する技法により、タッチ客体を通じたタッチの２次元位置が検出されてもよい。
【００７３】
第１駆動モードでは、実施形態によるタッチ入力装置１００が水中（ｕｎｄｅｒｗａｔｅｒ）で作動してもよい。例えば、実施形態によるタッチ入力装置１００が、水中においてタッチ客体でタッチされる場合、客体の単純なタッチによる相互静電容量Ｃｍの変化は一定でないか、もしくは発生が容易でないことがある。第１駆動モードにおいては、タッチスクリーン１３０に対して客体がタッチの際にタッチ圧力によって発生する静電容量の変化量を検出することによって、タッチ位置を検出することができる。
【００７４】
したがって、水中で使用者は第１駆動モードを選択してタッチ入力装置１００を操作することができる。実施形態によるタッチ入力装置１００において、制御器１１０は、タッチ入力装置１００に対する選択入力を通じて第１駆動モード又は第２駆動モードを動作させることができる。例えば、タッチ入力装置１００においては、物理的なスイッチ又はボタンなどを備えて、使用者が必要に応じて第１駆動モードと第２駆動モードに選択が可能なように具現されてもよい。または、本発明のタッチ入力装置１００が備えるタッチスクリーン１３０上に、第１駆動モードと第２駆動モードを選択するようにするオプションがディスプレイされて、使用者の選択入力によって第１駆動モードと第２駆動モードが動作されてもよい。
【００７５】
以下では、第２駆動モードに該当する一般的なタッチの位置（２次元平面上の位置）を検出する技法をまず説明した後、第１駆動モードに該当するタッチ圧力による静電容量の変化を検出して、タッチ位置を検出する技法を説明する。
【００７６】
プロセッサ１４０は、タッチスクリーン１３０のタッチ位置感知モジュール１０００又はタッチ位置−圧力感知モジュール５０００を通じてタッチスクリーン１３０に対する客体１０の近接による静電容量の変化量を測定し、測定された静電容量の変化量からタッチ位置を算出することができる。また、実施形態によりプロセッサ１４０は、タッチスクリーン１３０のタッチ位置／圧力を感知することができるディスプレイモジュール３０００を通じて、前述したタッチ位置を算出することができる。
【００７７】
図１０ないし図１８を参照して説明したように、タッチスクリーン１３０のタッチ位置を感知するモジュール１０００、３０００、５０００は、複数の駆動電極ＴＸ１〜ＴＸｎと複数の受信電極ＲＸ１〜ＲＸｍを含んでもよい。複数の駆動電極ＴＸ１〜ＴＸｎと複数の受信電極ＲＸ１〜ＲＸｍは直交アレイを構成することができるが、本発明はこれに限定されず、複数の駆動電極ＴＸ１〜ＴＸｎと複数の受信電極ＲＸ１〜ＲＸｍとが、対角線、同心円、及び３次元ランダム配列などをはじめとする任意の数の次元及びこの応用配列を有するようにすることができる。ここで、ｎ及びｍは、量の整数として互いに同じか、もしくは別の値を有することができ、実施形態により大きさが変わってもよい。
【００７８】
複数の駆動電極ＴＸ１〜ＴＸｎと複数の受信電極ＲＸ１〜ＲＸｍとは、それぞれ互いに交差するように配列されてもよい。駆動電極ＴＸは、第１軸方向に延びた複数の駆動電極ＴＸ１〜ＴＸｎを含み、受信電極ＲＸは、第１軸方向と交差する第２軸方向に延びた複数の受信電極ＲＸ１〜ＲＸｍを含んでもよい。
【００７９】
実施形態による複数の駆動電極ＴＸ１〜ＴＸｎと複数の受信電極ＲＸ１〜ＲＸｍとは、互いに同一の層に形成されてもよい。例えば、複数の駆動電極ＴＸ１〜ＴＸｎと複数の受信電極ＲＸ１〜ＲＸｍとは、絶縁膜（図示せず）の同一の面に形成されてもよい。また、複数の駆動電極ＴＸ１〜ＴＸｎと複数の受信電極ＲＸ１〜ＲＸｍとは、それぞれ異なる層に形成されてもよい。例えば、複数の駆動電極ＴＸ１〜ＴＸｎと複数の受信電極ＲＸ１〜ＲＸｍとは、一つの絶縁膜（図示せず）の両面にそれぞれ形成されてもよく、又は、複数の駆動電極ＴＸ１〜ＴＸｎは第１絶縁膜（図示せず）の一面に、そして複数の受信電極ＲＸ１〜ＲＸｍは前記第１絶縁膜と異なる第２絶縁膜（図示せず）の一面上に形成されてもよい。
【００８０】
複数の駆動電極ＴＸ１〜ＴＸｎと複数の受信電極ＲＸ１〜ＲＸｍとは、透明伝導性物質（例えば、ＩＴＯ（Ｉｎｄｉｕｍ Ｔｉｎ Ｏｘｉｄｅ）又はＡＴＯ（Ａｎｔｉｍｏｎｙ Ｔｉｎ Ｏｘｉｄｅ））などで形成されてもよい。しかし、これは単に例示に過ぎず、駆動電極ＴＸ及び受信電極ＲＸは、他の透明伝導性物質又は銅などの不透明伝導性物質で形成されてもよい。
【００８１】
以上で詳しく見たように、駆動電極ＴＸと受信電極ＲＸの交差地点ごとに所定値の静電容量Ｃが生成され、第２駆動モードにおいては、指のような導体である客体がタッチスクリーン１３０に近接する場合、このような静電容量の値が変更され得る。このような電気的特性をプロセッサ１４０で感知してタッチスクリーン１３０に対するタッチの有無及び／又はタッチ位置を感知することができる。例えば、第１軸と第２軸からなる２次元平面において、タッチスクリーン１３０に対するタッチの有無及び／又はその位置を感知することができる。
【００８２】
より具体的に、タッチスクリーン１３０に対するタッチが生じる時、駆動信号が印加された駆動電極ＴＸを検出することによって、タッチの第２軸方向の位置を検出することができる。これと同様に、タッチスクリーン１３０に対するタッチの際に、受信電極ＲＸを通じて受信された受信信号から静電容量の変化を検出することによって、タッチの第１軸方向の位置を検出することができる。
【００８３】
以上においては、実施形態によるタッチスクリーン１３０に対するタッチの有無及び／又はタッチの位置を第２駆動モードによって検出する例を説明した。
【００８４】
以上のタッチ位置検出方式は、一般的に導体のような客体がタッチスクリーン１３０にタッチすることで変化した相互静電容量Ｃｍの変化量を測定することによって、タッチ位置を検出するものである。
【００８５】
以下では、図２ａないし図２ｄ及び図３ａないし図３ｄを参照して、本発明の実施形態によるカメラのリセットプロセスを説明する。
【００８６】
図２ａは、タッチスクリーン１３０に何らのタッチが入力されない時、一般的な環境におけるタッチスクリーン１３０で検出される静電容量を示した斜視図であり、図２ｂは、図２ａのＡ−Ａ’位置で検出される静電容量を示したグラフであり、図２ｃは、タッチスクリーン１３０にタッチが入力された時、一般的な環境におけるタッチスクリーン１３０で検出される静電容量を示した斜視図であり、図２ｄは、図２ｃのＡ−Ａ’位置で検出される静電容量を示したグラフである。図３ａは、タッチスクリーン１３０に何らのタッチが入力されない時、水中におけるタッチスクリーン１３０で検出される静電容量を示した斜視図であり、図３ｂは、図３ａのＢ−Ｂ’位置で検出される静電容量を示したグラフであり、図３ｃは、タッチスクリーン１３０にタッチが入力された時、水中におけるタッチスクリーン１３０で検出される静電容量を示した斜視図であり、図３ｄは、図３ｃのＢ−Ｂ’位置で検出される静電容量を示したグラフであり、図３ｅは、リセットプロセスが実行された後、図３ａのＢ−Ｂ’位置で検出される静電容量を示したグラフであり、図３ｆは、リセットプロセスが実行された後、図３ｃのＢ−Ｂ’位置で検出される静電容量を示したグラフである。
【００８７】
水中におけるタッチスクリーン１３０で検出される静電容量のパターンが、一般的な環境におけるタッチスクリーン１３０で検出される静電容量のパターンとは異なって示される。具体的に、図２ａ及び図２ｂに示されたように、タッチスクリーン１３０に何らのタッチが入力されない時、一般的な環境におけるタッチスクリーン１３０で検出される静電容量は、タッチスクリーン１３０の位置によって基準静電容量を基準として比較的小さい誤差の範囲内に値を有する。したがって、図２ｃ及び図２ｄに示されたように、タッチスクリーン１３０にタッチが入力されれば、基準静電容量を基準として所定値以上の静電容量の変化量が発生するようになり、該当位置にタッチが入力されたものと認識するようになる。これに反し、図３ａ及び図３ｂに示されたように、タッチスクリーン１３０に何らのタッチが入力されない時、水中におけるタッチスクリーン１３０で検出される静電容量は、タッチスクリーン１３０の位置によって基準静電容量を基準として比較的大きい誤差の範囲内の値を有する。したがって、水中で一般的な環境における基準静電容量を基準としてタッチを認識するようになれば、図３ｃ及び図３ｄに示されたように、タッチスクリーン１３０にタッチが入力されても、基準静電容量を基準として所定値以上の静電容量の変化量が発生しないか、もしくは、タッチスクリーン１３０にタッチが入力されなかったのにかかわらず、基準静電容量を基準として所定値以上の静電容量の変化量が発生し、タッチ位置を認識するのにエラーが発生するようになる。
【００８８】
したがって、水中ではタッチ入力の有無を判断するための基準静電容量を変更させるリセットプロセスが必要である。具体的に、図３ｅ及び図３ｆに示されたように、タッチスクリーン１３０に何らのタッチが入力されない時に示される静電容量パターンに合わせて、タッチスクリーン１３０の各位置に従って基準静電容量を変更すれば、水中でタッチスクリーン１３０にタッチが入力されても、各位置に従って設定された基準静電容量を基準として静電容量の変化量を計算するようになるので、該当位置にタッチが入力されたものと認識するようになる。
【００８９】
また、図３ａ及び図３ｂに示されたように、タッチスクリーン１３０に何らのタッチが入力されない時、水中におけるタッチスクリーン１３０で検出される静電容量パターンは、時間に伴って変更され得る。したがって、所定の周期を有してリセットプロセスが繰り返して実行されるようにすることができる。または、所定の周期を有して静電容量パターンを検出し、検出された静電容量パターンと以前に検出された静電容量パターンとの誤差が所定値以上の場合、リセットプロセスが実行されるようにすることができる。
【００９０】
しかし、このような場合にも、前述した方式に従ってタッチ入力装置１００に対するタッチの位置を明確に検出できない問題点が発生する。
【００９１】
タッチ入力装置１００が水中（ｕｎｄｅｒｗａｔｅｒ）で操作される場合に、タッチ入力装置１００に対するタッチの際に、客体の単純なタッチによる相互静電容量Ｃｍの変化が発生しない。タッチ入力装置１００が水中で操作される場合、タッチスクリーン１３０に水が接触することになるが、水は導体なので、タッチ入力装置１００は、タッチスクリーン１３０に無数に多くのタッチが入力されるものと認識するようになるため、水中でタッチスクリーン１３０にタッチが入力されても、相互静電容量の変化が発生しない。
【００９２】
したがって、実施形態によるタッチ入力装置１００が、水中でタッチスクリーン１３０に対するタッチの有無及びタッチ位置を検出できるタッチ入力装置１００を提供する。
【００９３】
以下では、実施形態によるタッチ入力装置１００のタッチスクリーン１３０に対するタッチの際に、第１駆動モードによりタッチ圧力の大きさによって発生する静電容量の変化を測定することで、タッチ位置を検出する原理について詳しく説明する。
【００９４】
タッチ時のタッチ圧力によって前記静電容量の変化量の大きさが変わり得る。したがって、タッチスクリーン１３０に対するタッチの際、プロセッサ１４０はタッチ圧力による静電容量の変化量の大きさを測定することができる。ここで、タッチ圧力が小さいほど静電容量の変化量は小さくてもよく、タッチ圧力が大きいほど静電容量の変化量は大きくてもよい。
【００９５】
具体的に、プロセッサ１４０は、タッチスクリーン１３０のタッチ圧力感知モジュール２０００、タッチ位置−圧力感知モジュール５０００又はタッチ圧力を感知することができるディスプレイモジュール３０００を通じてタッチスクリーン１３０に加えられる客体１０の圧力による静電容量の変化量を測定し、測定された静電容量の変化量からタッチ圧力の大きさを算出することができる。
【００９６】
図４及び図５は、圧力による静電容量の変化量を説明するための図面である。実施形態によるプロセッサ１４０は、静電容量の変化量に基づいてタッチスクリーン１３０に対するタッチ位置を計算することができる。
【００９７】
具体的に、プロセッサ１４０は、客体１０によりタッチスクリーン１３０に加えられる圧力の大きさによる静電容量の変化量でタッチ位置を計算することができる。例えば、図４に示されたように、客体１０がタッチスクリーン１３０に圧力を印加することなしにタッチする場合、静電容量の変化量は０である。図５には、客体１０を通じてタッチスクリーン１３０に圧力を印加しながらタッチする場合を例示する。このような場合、タッチスクリーン１３０で発生する静電容量が変化し、静電容量の変化量が最も大きい位置を測定することによってタッチ位置を計算することができる。
【００９８】
プロセッサ１４０は、測定された静電容量の変化量及び／又は測定された静電容量の変化量から算出されたタッチ位置及びタッチ圧力の大きさのうち、少なくとも何れか一つを制御器１１０に伝送する。この時、制御器１１０は、プロセッサ１４０から伝送された静電容量の変化量を用いてタッチ時間を計算することができる。発明の実施形態により制御器１１０はアプリケーションプロセッサ（ａｐｐｌｉｃａｔｉｏｎ ｐｒｏｃｅｓｓｏｒ）であってもよい。アプリケーションプロセッサは、携帯用電子装置において命令解釈、演算、及び制御などの機能を遂行できる処理装置である。例えば、制御器１１０は、タッチが所定の時間以上維持される場合にだけ、意味のあるタッチと認識するように設定することができる。
【００９９】
具体的に、実施形態により意味のあるタッチと認識されるのに必要な静電容量の変化量の大きさによって、基準値を第１所定値又は第２所定値などに設定することができる。例えば、プロセッサ１４０は、図６ａに例示されたように、静電容量の変化量が第１所定値以上維持される８ｔ（１ｔ〜９ｔ）時間の間、客体によるタッチがなされたと判断することができる。また、プロセッサ１４０は、図６ｂに例示されたように、静電容量の変化量が第２所定値以上維持される２ｔ（２ｔ〜４ｔ）時間の間、客体によるタッチがなされたと判断することができる。
【０１００】
本発明の実施形態によるタッチスクリーン１３０を含むタッチ入力装置１００は、メモリ１２０をさらに含んでもよい。メモリ１２０は、前述したような第１所定値、第２所定値及び／又は意味のあるタッチと認識されるための静電容量の変化量の維持時間などを格納することができる。以下では、図１及び図７ないし図９を参照して、本発明の実施形態によるカメラの水中操作方法を説明する。
【０１０１】
図７ａないし図７ｃは、実施形態によるカメラの水中操作方法を説明するためのフローチャートである。
【０１０２】
まず、タッチ入力装置１０００の第１駆動モードの動作設定が自動である時を説明する。
【０１０３】
図７ａを参照すると、実施形態によるカメラの水中操作方法は、現在の位置が水中なのか水中でないのかを判断する段階（Ｓ１００）、第１駆動モードを動作させる段階（Ｓ２００）、カメラを水中で操作する段階（Ｓ３００）、カメラの終了条件を満たすのかを判断する段階（Ｓ４００）、及びカメラを終了する段階（Ｓ５００）を含んでもよい。
【０１０４】
制御器１１０は、現在の位置が水中なのか水中ではないのかを判断する（Ｓ１００）。具体的に、タッチスクリーン１３０は、水と接触すると前記接触した水によってタッチ入力になされたと判断する。したがって、タッチスクリーン１３０は、前記水によるタッチ入力によって意図しなかった誤動作が起きることがある。制御器１１０は、現在のタッチスクリーン１３０に入力された条件が所定の条件を満たせば、現在の位置が水中であると判断することができる。ここで、前記所定の条件は、予め設定されたタッチ数より多くの数のタッチが持続されるが、所定の時間以上持続する場合であってもよく、図３ａ及び図３ｂに示されたように、タッチスクリーン１３０において検出される静電容量のパターンが所定値以上の大きい誤差範囲を有する場合であってもよい。
【０１０５】
現在の位置が水中ではないと判断されれば、その後の段階が実行されない。
【０１０６】
反面、現在の位置が水中と判断されれば、第１駆動モードを動作させる（Ｓ２００）。ここで、第１駆動モードが動作すれば、水の接触によって静電容量が変化する状態を何らのタッチが入力されなかった状態と認識するために、タッチ入力の有無を判断するための基準静電容量を変更させるリセットプロセスが実行され、タッチ圧力によってタッチ位置を検出できるようになる。
【０１０７】
このように、現在の位置が水中なのか、そうでないのかを感知して、現在の位置が水中の場合、水中でタッチ圧力によってタッチ位置を検出できるように自動でリセットプロセスが実行されるようにする場合、別途の使用者の操作が必要なくても水中でも端末機を使用することができる。
【０１０８】
タッチ入力装置１００の第１駆動モードの動作設定が手動である時を説明する。
【０１０９】
図７ｂを参照すると、実施形態によるカメラの水中操作方法は、第１駆動モードの実行の有無を選択する段階（Ｓ１００’）、第１駆動モードを動作させる段階（Ｓ２００）、カメラを水中で操作する段階（Ｓ３００）、カメラの終了条件を満たすのかを判断する段階（Ｓ４００）、及びカメラを終了する段階（Ｓ５００）を含んでもよい。
【０１１０】
制御器１１０は、第１駆動モードの実行の有無を選択できるようにする（Ｓ１００’）。具体的に、制御器１００は、タッチスクリーン上に第１駆動モードと第２駆動モードとを選択するようにするオプションをディスプレイすることができる。この時、使用者は、第１駆動モードを選択することができる。
【０１１１】
使用者が第１駆動モードを選択すれば、第１駆動モードを動作させる（Ｓ２００）。ここで、第１駆動モードが動作すれば、水の接触によって静電容量が変化する状態を何らのタッチが入力されなかった状態と認識するために、タッチ入力の有無を判断するための基準静電容量を変更させるリセットプロセスが実行され、タッチ圧力によってタッチ位置を検出することができるようになる。
【０１１２】
このように、現在の位置と関係なく、水中でタッチ圧力によってタッチ位置を検出することができるように手動でリセットプロセスが実行されるようにする場合、端末機を水中で使用する前に、使用者が直接水中で使用が可能なように端末機を設定することができる。
【０１１３】
そして、タッチ入力装置１００の第１駆動モードの動作設定が半自動である時を説明する。
【０１１４】
図７ｃを参照すると、実施形態によるカメラの水中操作方法は、現在の位置が水中なのか水中ではないのかを判断する段階（Ｓ１００）、第１駆動モードの実行の有無を選択する段階（Ｓ１００’）、第１駆動モードを動作させる段階（Ｓ２００）、カメラを水中で操作する段階（Ｓ３００）、カメラの終了条件を満たすのかを判断する段階（Ｓ４００）、及びカメラを終了する段階（Ｓ５００）を含んでもよい。
【０１１５】
制御器１１０は、現在の位置が水中なのか、水中ではないのかを判断する（Ｓ１００）。具体的に、タッチスクリーン１３０は水と接触すれば、前記接触した水によってタッチ入力がなされたと判断する。したがって、タッチスクリーン１３０は、前記水によるタッチ入力により意図しなかった誤動作が起きることがある。制御器１１０は、現在のタッチスクリーン１３０に入力された条件が所定の条件を満たせば、現在の位置が水中であると判断することができる。ここで、前記所定の条件は、予め設定されたタッチ数より多く数のタッチが持続されるが、所定の時間以上持続する場合であってもよく、図３ａ及び図３ｂに示されたように、タッチセンサーパネル１００において検出される静電容量のパターンが所定値以上の大きい誤差範囲を有する場合であってもよい。
【０１１６】
現在の位置が水中ではないと判断されれば、その後の段階が実行されない。
【０１１７】
反面、現在の位置が水中と判断されれば、制御器１１０は、第１駆動モードの実行の有無を選択できるようにする（Ｓ１００’）。具体的に、制御器１１０は、タッチスクリーン１３０上に第１駆動モードと第２駆動モードとを選択するようにするオプションをディスプレイすることができる。この時、使用者は、第１駆動モードを選択することができる。
【０１１８】
使用者が、第１駆動モードを選択すれば、第１駆動モードを動作させる（Ｓ２００）。ここで、第１駆動モードが動作されれば、水の接触によって静電容量が変化する状態を、何らのタッチが入力されなかった状態と認識するために、タッチ入力の有無を判断するための基準静電容量を変更させるリセットプロセスが実行され、タッチ圧力によってタッチ位置を検出できるようになる。
【０１１９】
このように、現在の位置が水中なのか、そうでないのかを自動で感知し、現在の位置が水中の場合、水中でタッチ圧力によってタッチ位置を検出できるように手動でリセットプロセスが実行されるようにする場合、水中で端末機を使用するのか否かを使用者が水中で選択可能である。
【０１２０】
図８ａないし図８ｄは、水中で操作されるカメラのユーザインタフェースの多様な実施例を示す。
【０１２１】
カメラを水中で操作する（Ｓ３００）。まず、水中で操作されるカメラのユーザインタフェースが実行されてもよい。具体的に、タッチスクリーン１３０上に配置されたアイコンをタッチして、水中で操作されるカメラのユーザインタフェースを実行させることができる。また、水中で操作されるカメラのユーザインタフェースを実行させるための別途の物理的なスイッチを動作させて、水中で操作されるカメラのユーザインタフェースを実行させることができる。
【０１２２】
ここで、水中で操作されるカメラのユーザインタフェースの実行を、現在の位置が水中なのか水中ではないのかを判断する段階（Ｓ１００）、第１駆動モードの実行の有無を選択する段階（Ｓ１００’）及び第１駆動モードを動作させる段階（Ｓ２００）以後のカメラを水中で操作する段階（Ｓ３００）に含めて説明したが、これに限定するのではなく、現在の位置が水中なのか水中ではないのかを判断する段階（Ｓ１００）、第１駆動モードの実行の有無を選択する段階（Ｓ１００’）又は第１駆動モードを動作させる段階（Ｓ２００）以前に実行されてもよい。
【０１２３】
水中で操作されるカメラのユーザインタフェースが実行されれば、図８ａに示されたように、タッチスクリーン１３０上には、写真を撮影したり動画を撮影できる半透明なシャッターマーク１５１が配置されてもよい。
【０１２４】
具体的に、タッチスクリーン１３０の中央部に圧力が加えられる場合、検出されたタッチ位置の誤差が相対的に少ない。反面、タッチスクリーン１３０の端に圧力が加えられる場合、検出されたタッチ位置の誤差が相対的に大きい。したがって、シャッターマーク１５１は、タッチスクリーン１３０の中央に位置することができる。
【０１２５】
また、タッチ圧力を利用してタッチ位置を検出する場合、一般的なタッチによってタッチ位置を検出する場合に比べて検出されたタッチ位置が不正確であるため、カメラにディスプレイされるマークの大きさは、一般的なカメラにディスプレイされるマークの大きさより大きくてもよい。したがって、正確なタッチ位置が検出されなくても、カメラを操作することができる。
【０１２６】
使用者は、カメラを用いて撮影する時、シャッターマーク１５１をタッチすることによって撮影することができる。
【０１２７】
また、図８ｂに示されたように、タッチスクリーン１３０上には、半透明なズームインマーク１５２及び半透明なズームアウトマーク１５３が配置されてもよい。
【０１２８】
一例として、使用者は、カメラを用いて撮影する時、ズームインマーク１５２又はズームアウトマーク１５３を利用してズームイン又はズームアウトをした後、シャッターマーク１５１をタッチすることによって撮影することができる。
【０１２９】
また、タッチ入力装置１００が、タッチ入力装置１００の前方を撮影することができる前方カメラと後方を撮影することができる後方カメラとを含む場合、図８ｃに示されたように、タッチスクリーン１３０上には前方カメラモード又は後方カメラモードを選択できる半透明な切換マーク１５４が配置されてもよい。
【０１３０】
一例として、切換マーク１５４を１回タッチすれば、前方カメラモードが選択されて使用者の方向を撮影することができ、再び切換マーク１５４を１回タッチすれば、後方カメラモードが選択されて使用者が眺めた方向を撮影することができる。
【０１３１】
そして図８ｄに示されたように、タッチスクリーン１３０上には、半透明な表示マーク１５５が配置されてもよい。
【０１３２】
また、写真モード又は動画モードを選択することができる半透明なカメラモードマーク１５６が配置されてもよい。
【０１３３】
一例として、使用者は、表示マーク１５５をタッチして撮影された写真又は映像をディスプレイする表示モードを実行することができる。また、使用者は、カメラモードマーク１５６を１回タッチして動画を撮影することができ、再びカメラモードマーク１５６を１回タッチして写真撮影をすることができる。
【０１３４】
図９は、実施形態によるカメラの終了方法を例示する。
【０１３５】
カメラの終了条件が満たされるのかを判断（Ｓ４００）する。具体的に、制御器１１０は、カメラの終了条件が満たされるのかを判断することができる。
【０１３６】
前記終了条件は、前記終了マーク１５７にタッチが入力される条件であってもよい。一例として、図９に示されたように、タッチスクリーン１３０上には終了マーク１５７が配置されてもよく、制御器１１０は、タッチスクリーン１３０上に位置した半透明な終了マーク１５７のタッチの有無を判断することができる。
【０１３７】
また、前記終了条件は、水中で操作されるカメラのユーザインタフェースに一定の時間以上入力がない条件であってもよい。一例として、制御器１１０は、カメラが最後に操作された後、一定の時間（例えば、１分）以上入力がないのかを判断することができる。
【０１３８】
そして、前記終了条件は、別途の終了入力手段が実行される条件であってもよい。一例として、タッチ入力装置１００が、別途の終了キー１５８又は別途のバックキー１５９を含む場合、制御器１１０は、終了キー１５８又はバックキー１５９の入力の有無を判断することができる。
【０１３９】
カメラを終了する（Ｓ５００）。具体的に、制御器１１０は、前記終了条件が満たされるのかを判断すれば、カメラを終了することができる。
【０１４０】
前記マーク１５１〜１５７が半透明な場合、前記マーク１５１〜１５７がタッチスクリーン１３０上にディスプレイされることによって撮影される画面が完全に遮られることもなく、前記マーク１５１〜１５７が完全に見えないこともないので、使用者の立場で便利に使用することができる。
【０１４１】
ここで、前記マーク１５１〜１５７は半透明なもので説明したが、必ずしもこれに限定される訳ではなく、前記マーク１５１〜１５７は、設定によって不透明又は透明にすることができる。また、前記マーク１５１〜１５７は、前記設定によって半透明な程度を調節することができる。
【０１４２】
ここで、タッチスクリーン１３０上に配置されたマーク１５１〜１５７は、互いに第１所定間隔ａ以上離隔して配置されてもよい。
【０１４３】
ここで、第１所定間隔ａは、一つのマークにタッチが入力される時、検出されたタッチ位置の誤差によって意図しなかったマークが選択されない最小限の間隔である。したがって、図８ｂに示されたように、シャッターマーク１５１、ズームインマーク１５２、及びズームアウトマーク１５３は、第１所定間隔ａ離隔されたので、シャッターマーク１５１に入力されたタッチによって、ズームインマーク１５２又はズームアウトマーク１５３が影響を受けない。
【０１４４】
ここで、タッチスクリーン１３０上に配置されたマーク１５１〜１５７は、タッチスクリーン１３０の端から第２所定間隔ｂ以上離隔して配置されてもよい。ここで、第２所定間隔ｂは、マークにタッチが入力される時、タッチスクリーン１３０の端で発生する検出されたタッチ位置の誤差によって意図しなかったマークが選択されないようにしたり、意図したマークを選択することができる間隔である。したがって、図８ｂに示されたように、第２所定間隔ｂによってズームインマーク１５２に入力されるタッチをエラーなしに検出することができる。
【０１４５】
ここで、図８ｂでは、第１所定間隔ａが第２所定間隔ｂより大きく示されたが、必ずしもこれに限定される訳ではなく、第２所定間隔ｂが第１所定間隔ａより大きくてもよく、第１所定間隔ａと第２所定間隔ｂは互いに同じであってもよい。
【０１４６】
以上において、実施形態を中心に説明したが、これは単に例示に過ぎず、本発明を限定する訳ではなく、本発明が属する分野における通常の知識を有する者であれば、本実施形態の本質的な特徴を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきである。
【符号の説明】
【０１４７】
１００      タッチ入力装置
１１０      制御器
１２０      メモリ
１３０      タッチスクリーン
１４０      プロセッサ
【図１】
2015185171.tif 000003
【図２ａ】
2015185171.tif 000004
【図２ｂ】
2015185171.tif 000005
【図２ｃ】
2015185171.tif 000006
【図２ｄ】
2015185171.tif 000007
【図３ａ】
2015185171.tif 000008
【図３ｂ】
2015185171.tif 000009
【図３ｃ】
2015185171.tif 000010
【図３ｄ】
2015185171.tif 000011
【図３ｅ】
2015185171.tif 000012
【図３ｆ】
2015185171.tif 000013
【図４】
2015185171.tif 000014
【図５】
2015185171.tif 000015
【図６ａ】
2015185171.tif 000016
【図６ｂ】
2015185171.tif 000017
【図７ａ】
2015185171.tif 000018
【図７ｂ】
2015185171.tif 000019
【図７ｃ】
2015185171.tif 000020
【図８ａ】
2015185171.tif 000021
【図８ｂ】
2015185171.tif 000022
【図８ｃ】
2015185171.tif 000023
【図８ｄ】
2015185171.tif 000024
【図９】
2015185171.tif 000025
【図１０】
2015185171.tif 000026
【図１１ａ】
2015185171.tif 000027
【図１１ｂ】
2015185171.tif 000028
【図１１ｃ】
2015185171.tif 000029
【図１１ｄ】
2015185171.tif 000030
【図１２ａ】
2015185171.tif 000031
【図１２ｂ】
2015185171.tif 000032
【図１２ｃ】
2015185171.tif 000033
【図１２ｄ】
2015185171.tif 000034
【図１２ｅ】
2015185171.tif 000035
【図１２ｆ】
2015185171.tif 000036
【図１３】
2015185171.tif 000037
【図１４ａ】
2015185171.tif 000038
【図１４ｂ】
2015185171.tif 000039
【図１４ｃ】
2015185171.tif 000040
【図１４ｄ】
2015185171.tif 000041
【図１４ｅ】
2015185171.tif 000042
【図１４ｆ】
2015185171.tif 000043
【図１４ｇ】
2015185171.tif 000044
【図１４ｈ】
2015185171.tif 000045
【図１４ｉ】
2015185171.tif 000046
【図１４ｊ】
2015185171.tif 000047
【図１４ｋ】
2015185171.tif 000048
【図１５】
2015185171.tif 000049
【図１６ａ】
2015185171.tif 000050
【図１６ｂ】
2015185171.tif 000051
【図１７ａ】
2015185171.tif 000052
【図１７ｂ】
2015185171.tif 000053
【図１７ｃ】
2015185171.tif 000054
【図１８ａ】
2015185171.tif 000055
【図１８ｂ】
2015185171.tif 000056
【図１８ｃ】
2015185171.tif 000057
【図１８ｄ】
2015185171.tif 000058